Podtech/llm-jp-corpus-v4-ja_patent huggingface dataset:
(57)【要約】      （修正有）【課題】  光刺激装置は、主にまぶたの上から照射して脳波誘導を行うものであったが、δ波のような脳波の活動が低い時には効果が脳中枢部までに及ばなかった。そのため、蓄膿症やほかの疾患の治療にも応用できなかった。不眠症、統合失調症、自律神経失調症、ナルコレプシー、蓄膿症、その他の慢性疾患に有効な鼻腔用の光刺激装置、を提供する。【解決手段】鼻腔用の光刺激装置であって、電線を収納するための軸部と、軸部の先端に発光素子を備えたとともに、軸部の後端は、もう一方の軸部とその発光素子を二股状にさらに具備したとともに、視覚、又は額への光刺激を行う手段を備えたことを特徴とした光刺激装置４１１。【選択図】図１
2006212448.tif 000002
【特許請求の範囲】
【請求項１】
鼻腔用の光刺激装置であって、電線を収納するための軸部と、前記軸部の先端に発光素子を備えるとともに、
さらに、前記軸部の後端は、もう一方の軸部とその発光素子を二股状にさらに具備したとともに、
さらに、視覚、又は額への光刺激を行う手段を備えた
ことを特徴とした光刺激装置。
【請求項２】
鼻腔用の光刺激装置であって、電線を収納するための軸部と、前記軸部の先端に発光素子を備えるとともに、
前記軸部は、丸みを帯びた
ことを特徴とした光刺激装置。
【請求項３】
発光素子とその配線を収納するプラスチック等の形状は、鼻腔内の粘膜や皮膚と接触しても傷つけないように丸みを帯びている
ことを特徴とした光刺激装置。
【請求項４】
光刺激装置において、発光素子を支える部分が筒状であり、また蛇腹等を備えたことによって変形する手段を備える
ことを特徴とした光刺激装置。
【請求項５】
請求項３、又は４、に記載の光刺激装置において、
さらに視覚、又は額への光刺激を行う手段を備える
ことを特徴とした光刺激装置。
【請求項６】
鼻腔用の光刺激装置であって、電線を収納するための軸部と、前記軸部の先端に発光素子を備えるとともに、
さらに、前記軸部の後端は、もう一方の軸部とその発光素子を二股状にさらに具備した
ことを特徴とした光刺激装置。
【請求項７】
鼻腔用の光刺激装置であって、電線を収納するための軸部と、前記軸部の先端に発光素子を備えるとともに、
さらに、前記軸部は、蛇腹等を備えたことによって変形する手段を備える
ことを特徴とした光刺激装置。
【請求項８】
鼻腔用の光刺激装置であって、電線を収納するための軸部と、前記軸部の先端に発光素子を備えるとともに、
さらに、前記軸部の後端は、もう一方の軸部とその発光素子を二股状にさらに具備し、
さらに、前記軸部は、蛇腹等を備えたことによって変形する手段を備える
ことを特徴とした光刺激装置。
【請求項９】
前記軸部は筒状であり、丸みを帯びている
ことを特徴とした請求項６−８のいずれかに記載の光刺激装置。
【請求項１０】
前記軸部はプラスチックであり、丸みを帯びている
ことを特徴とした請求項６−８のいずれかに記載の光刺激装置。
【請求項１１】
請求項８に記載の光刺激装置において、
視覚、又は額への光刺激を行うための軸部とその発光素子をさらに具備する
ことを特徴とした光刺激装置。
【発明の詳細な説明】
【技術分野】
【０００１】
この発明は、脳波誘導装置、ならびに光刺激装置、ならびに電気刺激装置、に関する。
【背景技術】
【０００２】
睡眠障害、又は自律神経失調症、又は鬱病に効果があるものとして、睡眠を誘導する装置がある。光刺激、及びリラクゼーションによる様々な誘導方法があり、生体の緊張をある程度解きほぐすことで、安眠可能な状態へ誘導することができる。
また、睡眠中の脳波に関しては、脳波を長時間刺激して、効果的に誘導する方法、及びその技術が求められている。電気刺激装置、及び低周波治療装置に関しても同様である。
【発明の開示】
【発明が解決しようとする課題】
【０００３】
光刺激装置は、主にまぶたの上から照射して脳波誘導を行うものであったが、δ波のような脳波の活動が低い時には効果が脳中枢部までに及ばなかった。そのため、蓄膿症やほかの疾患の治療にも応用できなかった。一例をあげると、不眠症、統合失調症、自律神経失調症、ナルコレプシー、蓄膿症、その他の慢性疾患である。
したがって、本発明では鼻腔用の光刺激装置、を提供する。
【課題を解決するための手段】
【０００４】
すなわち、本発明は、
鼻腔用の光刺激装置であって、電線を収納するための軸部と、前記軸部の先端に発光素子を備えたとともに、
さらに、前記軸部の後端は、もう一方の軸部とその発光素子を二股状にさらに具備したとともに、
さらに、視覚、又は額への光刺激を行う手段を備えた
ことを特徴とした光刺激装置
に関する。
【発明の効果】
【０００５】
光刺激を、鼻腔内から実施することができる。そのため、脳波誘導がδ波であっても、効果が脳中枢部にまで達すると思われる。
【発明を実施するための最良の形態】
【０００６】
本発明を、以下の実施例を用いて詳細に説明する。
【実施例１】
【０００７】
図１は、発光素子を支える部品を細くした理想的な形状である。図２は、鼻腔内において光刺激装置を用いた使用例である。刺激部位が従来のものより脳に近いため、低レベルの脳波活動時、及び蓄膿症やその他の疾患等にも、効果を期待できる。また、アイマスクと併用することで、視覚部への光刺激を効果的にしている。光刺激装置は、鼻骨の上部付近に医療用テープで補強されるのが望ましい。
【産業上の利用可能性】
【０００８】
光刺激装置と脳波誘導装置において、脳波誘導の手段として利用することができる。
【図面の簡単な説明】
【０００９】
【図１】光刺激装置の正面図と、その側面図である。
【図２】使用例を示した側面図である。
【符号の説明】
【００１０】
410 脳波誘導装置
411 光刺激装置
【図１】
2006212448.tif 000003
【図２】
2006212448.tif 000004
(57)【要約】【課題】  芯材に吸引孔を形成しなくても表皮材を確実に密着接合することができる内装材を提供する。【解決手段】  所定形状に成形された金属製の芯材４の表面に、芯材４の表面形状に追従する柔軟性を有する表皮材５を、芯材４を介して吸引することにより密着接合させた構造で、芯材４を連続通気性を有する金属製にしたことを特徴とする。芯材４が連続通気性を有する金属製のため、特別に吸引孔の加工をしなくても、そのまま真空型により、芯材４を介して表皮材５を芯材４側へ吸着させることができる。従って、工数及びコストの面で有利である。芯材４が連続通気性を有する金属としては、発泡金属、金属細線集合固化体、焼結金属等が好適である。【選択図】        図４
2006212977.tif 000002
【特許請求の範囲】
【請求項１】
所定形状に成形された金属製の芯材（４）の表面に、芯材（４）の表面形状に追従する柔軟性を有する表皮材（５）を、芯材（４）を介して吸引することにより密着接合させた内装材であって、
前記芯材（４）が、連続通気性を有する金属製であることを特徴とする内装材。
【発明の詳細な説明】
【技術分野】
【０００１】
本発明は、自動車のインストルメントパネル等の内装材に関するものである。
【背景技術】
【０００２】
自動車の内装材としてのインストルメントパネルは、所定形状に成形された芯材に表皮材を密着状態で接合した構造をしている。芯材としては、成形性及び剛性確保の面からアルミ合金等の金属が使用される。表皮材としては、芯材の表面に対する追従性の面から軟質樹脂シートが使用される。
【０００３】
そして、芯材には表皮材を吸着するための吸引孔を複数形成し、その芯材を真空成形用の雄型にセットする。次に、雄型にセットされた芯材の上に表皮材を載せ、その上から雌型を型閉めし、雄型から芯材の吸引孔を介して表皮材を芯材側へ吸着させることにより、表皮材を芯材の表面に対して隙間なく密着接合させることができる（例えば、特許文献１参照）。
【特許文献１】特許第３１２００２９号
【発明の開示】
【発明が解決しようとする課題】
【０００４】
しかしながら、このような従来の技術にあっては、金属製の芯材に複数の吸引孔を形成する必要があるため、芯材の形成が困難である。すなわち、吸引孔をドリルで形成したり、プレスで形成したりする必要があるため、工数及びコストの増加を招く。そこで、芯材に吸引孔を形成しなくても表皮材を確実に密着接合することができる構造の内装材に関する提案が待たれている。
【０００５】
本発明は、このような従来の技術に着目してなされたものであり、芯材に吸引孔を形成しなくても表皮材を確実に密着接合することができる内装材を提供するものである。
【課題を解決するための手段】
【０００６】
請求項１記載の発明は、所定形状に成形された金属製の芯材の表面に、芯材の表面形状に追従する柔軟性を有する表皮材を、芯材を介して吸引することにより密着接合させた内装材であって、前記芯材が、連続通気性を有する金属製であることを特徴とする。
【発明の効果】
【０００７】
請求項１記載の発明によれば、芯材が連続通気性を有する金属製のため、特別に吸引孔の加工をしなくても、そのまま真空型により、芯材を介して表皮材を芯材側へ吸着させることができる。従って、工数及びコストの面で有利である。芯材が連続通気性を有する金属としては、発泡金属、金属細線集合固化体、焼結金属等が好適である。
【発明を実施するための最良の形態】
【０００８】
芯材に吸引孔を形成しなくても表皮材を確実に密着接合することができる内装材を提供するという目的を、所定形状に成形された金属製の芯材の表面に、芯材の表面形状に追従する柔軟性を有する表皮材を、芯材を介して吸引することにより密着接合させた内装材であって、前記芯材を、連続通気性を有する金属製にすることで、実現した。以下、本発明の実施形態を図面に基づいて説明する。
【実施例１】
【０００９】
図１〜図４は、本発明の第１実施例を示す図である。真空成形用の下型１と上型２が備えられ、上型２を下降させて型閉めすることができる。下型１は雄型で、表面に複数の吸引孔３を有している。上型２は雌型で、型閉めすることにより、下型１との間に所定のキャビティ空間を形成することができる。
【００１０】
芯材４は予めプレス等の方法により所定のハット形状に成形されている。この芯材４は発泡金属（発泡アルミニウム）により形成されている。発泡金属は、軽金属であるアルミニウムに多数の空孔（セル）を含む構造であって、全体として連続通気性を有している。
【００１１】
この芯材４を型閉め前の下型１にセットした後、上側から表皮材５を載せる。表皮材５は芯材４の表面に対する追従性を有する軟質樹脂シートで、下面には接着剤６が塗布されている。
【００１２】
そして、表皮材５を芯材４に押し付ける状態で、上側から上型２が下降し、下型１と型閉めされる。同時に下型１の吸引孔３から空気が吸引される。芯材４が連続通気性を有する構造のため、表皮材５はこの芯材４を介して吸引され、芯材４に密着する。表皮材５は芯材４の角部に相当する部分でも完全に密着する。また、芯材４の表面には多数の空隙が微細な凹凸となって存在するため、表皮材５の接着剤６が空隙内に食い込んで、接着力が向上する。
【００１３】
そして、上型２を上昇させて、型開きすることにより、内装材としてのインストルメントパネル７が得られる。
【００１４】
以上のように、この実施例によれば、金属製の芯材４が発泡金属であるため連続通気性を有し、特別に吸引孔の加工をしなくても、そのまま真空型により、芯材４を介して表皮材５を芯材４側へ吸着させることができる。従って、工数及びコストの面で有利である。
【産業上の利用可能性】
【００１５】
以上の実施例では、連続通気性を有する金属として発泡金属を例にしたが、例えば金属タワシのような金属細線を集合させて固化したものでも良いし、焼結金属のようなものでも良い。
【図面の簡単な説明】
【００１６】
【図１】本発明の一実施例に係る真空型を示す概略断面図。
【図２】図１の真空型を型閉めした状態を示す概略図。
【図３】図２により成形されてなるインストルメントパネルを示す断面図。
【図４】図３中矢示ＤＡ部分を示す拡大断面図。
【符号の説明】
【００１７】
１  下型
２  上型
３  吸引孔
４  芯材
５  表皮材
６  接着剤
７  インストルメントパネル
【図１】
2006212977.tif 000003
【図２】
2006212977.tif 000004
【図３】
2006212977.tif 000005
【図４】
2006212977.tif 000006
(57)【要約】      （修正有）【課題】コストをかけずに、簡単に、パンフレット・広告・プラスチックファイル各種ビジネス文書の書類などへ直接名刺を取り付ける事が可能な切り込みを作成できる。取り付けた名刺の取り外しや差し替えも容易にできる定期と装置の提供。【解決手段】名刺を取り付けたいパンフレット・ノート・ファイル・各種ビジネス文書の書類などを装置へはさみ込み、押さえることで切り込みを作成する。また、定規をあてて、切り込みを作成する部分を特定し、鉛筆でしるしを記入後ハサミやカッターナイフで切り込みを作成したり、定規のままカッターナイフなどで切り込みを作成することもできる。【選択図】図１
2006212769.tif 000002
【特許請求の範囲】
【請求項１】
簡単に、名刺を差し込む為の切り込みを作成する装置
〔発明の詳細な説明〕
名刺を取り付けたいパンフレットやビジネス文書の書類などを、本発明の装置ではさみ込み、押さえることで切り込みを簡単に作成する。
従来では、別の名刺袋付ファイルやフォルダーなどを準備し、そこへパンフレットやビジネス文書の書類などをはさみ込んだり、又はクリップや糊を用意し名刺を貼り付けていたが、これ以上、特にコストをかけず名刺の取り付けを要求する声が大きかったのに、取り付けることができなかった。
本発明はその強い要望をまとめて簡単な方法で解決した装置である。
【請求項２】
名刺を差し込むための切り込みを作成する場所を特定する定規
〔発明の詳細な説明〕
名刺を取り付けたいパンフレットやビジネス文書の書類などへ、本発明の定規で切り込み箇所を特定することで容易に、名刺を差し込む切り込み場所がわかる為、既に持参しているハサミやカッターナイフなどを使用して簡単に名刺差込み用の切り込みを手動で作成できる。
名刺サイズの特定や斜めに切り込みを入れる必要があり、名刺差込みの切り込み場所の特定や形状を決めることが困難であり、その場所の特定と大きさを明確化する声が大きかったのにできなかった。
本発明はその強い要望をまとめて簡単な方法で解決した定規である。
【発明の詳細な説明】
【技術分野】
【０００１】
【背景技術】
【０００２】
【発明の開示】
【発明が解決しようとする課題】
【０００３】コストをかけずに、簡単に、パンフレット・広告・プラスチックファイルや各種ビジネス文書の書類などへ、直接名刺を取り付ける事が可能な切り込みを作成できる。
また、名刺の取り外しも容易にできる。
【課題を解決するための手段】
【０００４】名刺を差し込むための切り込みを名刺の対角線上に２箇所
2006212769.tif 000003
【発明の効果】
【０００５】多目的な範囲でコストをかけずに使用できる
【実施例】
【０００６】・パンフレット
・手帳
・ノート
・書籍
・ファイル
・各種ビジネス文書  など
【図面の簡単な説明】
【図１】本発明の装置を示した図である
【図２】本発明の定規を示した図である
【図１】
2006212769.tif 000004
【図２】
2006212769.tif 000005
(57)【要約】      （修正有）【課題】軽量で何処にでも移動でき、電源があればすぐに使用できる家庭用の簡易足風呂専用浴槽を提供する。【解決手段】和洋室用持ち運び自由の自動温度調整湯沸し４、足風呂浴水濾過装置、浴水入れ容器、浴水入れ袋、踏み板付き足風呂浴槽１を備える。【効果】衣服を着たままで入浴できることです。その利点の一つが食卓やテーブルの下に置き、足入浴しながら食事やテレビなどが楽しめたり、安楽椅子などに掛けて読書しながらも使用できる。更に、浴水に温泉の素、薬草、薬剤、香料などを使用したり、家庭足風呂だけでなく、回流泡吹き浴水式の足湯循環型浴槽を製作して「足風呂浴場」や足風呂居酒屋、カラオケ、そば屋、など大衆健康娯楽効果が上げられる。【選択図】  図１
2006212367.tif 000002
【特許請求の範囲】
【請求項１】
和洋室用持ち運び自由の自動温度調整自動湯沸かし、足風呂浴水濾過装置、浴水入れ容器、浴水入れ袋、踏み板付き足風呂浴槽。
【請求項２】
請求項１を腰掛やテーブルなど家具との一体型、家具セット型、営業用足湯循環型、単独使用のユニット型の足風呂浴槽。
【請求項３】
請求項１の足湯風呂浴水に、温泉の素、薬草や薬剤、香料などを使用、音楽や観光案内、娯楽映像などを組み合わせた足風呂入浴営業システム。
【発明の詳細な説明】
【技術分野】
【０００１】  本発明は、家庭内で足湯温泉に入りたいとの願望を満たすためのものです。温度調整付き自動湯沸かし電気足風呂浴槽を制作します。この足風呂の浴水は浴槽に直に入れて使用することもできますが、本発明は足風呂浴水器と袋を別に製作し、浴水は浴水器や浴水袋に入れて浴槽に入れ使用する仕組みのものです。一般家庭用。
この足風呂浴水器と袋の発明により、給浴水、廃浴水が浴槽を持ち歩く必要なく便利になりました。なお浴槽の清掃も毎回行う必要がなく効果を上げています。
【背景技術】
【０００２】  従来、足風呂が健康に役立つことは知られていましたが、営利事業では成り立たないと思われていたのでしよう。そのためか市街地には「足風呂浴場」などありませんし、温泉地でも「足湯温泉旅館」などは見られません。
ましてや、住宅の和洋室用の自動湯沸かし方式の足風呂浴槽などはありません。
【発明が解決しようとする課題】
【０００３】  従来の技術で述べましたが、温泉は万病を癒やし健康に良いと言われ、足湯・足入浴が保健に優れた効果をあげることは知られるところです。課題は、その温泉や入浴を住宅で、如何に容易に、経済的に、多回数、楽しくできるようにするかです。
【課題を解決するための手段】
【０００４】第一は、住宅で温泉の湯に衣服を着たままで簡単に入れる、足湯風呂浴槽を製作し、高齢者でも容易に安い費用で入浴したい、の願望をかなえ課題を解決します。
第二は、手提げ移動ができ、浴水の給廃水を浴槽とは別に「足風呂浴水器や袋」を発明し、浴水器や袋を使用することで和洋室でも入浴を容易にしました。
【０００５】  第三の、保健や湯治の治療効果を自宅で上げる課題。足風呂浴水袋を使用し温泉の素、薬草、薬剤、香料など浴水に自由に使用でき、この浴水袋は一人一回限りの使い捨てなので、水虫など感染の心配もなく衛生効果を上げ課題を解決しています。
第四は、毎日風呂に自宅で容易に楽しく、そして安い費用で入浴したい。の課題は、足湯風呂浴槽の発明により、足湯風呂と全身浴風呂との使い分けが可能となり、必要な日に毎日どちらか選び入浴すりば、経済的な効果も上げられます。
また、持ち運びに便利なユニット型の足風呂浴槽を、食卓やテーブルの下にセットすれば、お茶やお酒、食事、テレビを見ながらでも足湯が入浴でき、楽しいく心身を癒やし健康を増進し課題を解決しています。
【発明を実施するための最良の形態】
【０００６】    発明の実施の形態を図面によりご説明します。
図１．は「足湯風呂浴槽」全体の説明見取り図の一例です。
（１）本体の浴槽部。（２）湯沸かし運転ボタン。（３）温度調整ボタン。入浴水を適温に調整し沸かし保温。（４）湯沸かし装置格納部。（５）電源コンセント。（６）取つ手
図２．は図１の（１）本体の浴槽部にセットして使用する部品の説明図です。
▲１▼浴水槽器。この浴水槽器は図１の（１）本体の浴槽部の中に入れて使用します。
▲２▼浴水袋。この浴水袋は▲１▼浴水槽器の中に入れて使用します。
▲３▼踏み板。踏み板は▲２▼浴水袋の中に入れ、この板の上に足を乗せて入浴します。
【発明の効果】
【０００７】  本考案は上述のとおりであります。
【０００８】  本発明は、電源があればどこででも足湯入浴できる風呂浴槽の開発で、自由に小型化にし住宅のどの部屋でもいつでも入浴できる夢をかなえたことです。
また、保健や治療などにも活用でき、飲食業や美容室理容店などと活用の範囲は拡大できます。足湯風呂浴槽の発明は構造上機能上大きな効果をあげています。
【図面の簡単な説明】
【０００９】
【図１】「足湯風呂浴槽」全体の説明見取り図の一例です。
【図２】は図１の（１）本体の浴槽部にセットして使用する部品の見取り説明図です。
【符号の説明】
図１  （１）本体の浴槽部。（２）湯沸かし運転ボタン。（３）温度調整ボタン。
（４）湯沸かし装置の格納部。（５）電源コンセント。（６）取つ手
図２  ▲１▼浴水槽器。▲２▼浴水袋。▲３▼踏み板。
【図１】
2006212367.tif 000003
【図２】
2006212367.tif 000004
(57)【要約】      （修正有）【解決手段】ハンガーの柄ｂの後方側に、プラスチック製ｃの板のようなもの設けたことを特徴とするタオルハンガー。【効果】抗菌加工してあるプラスチック製の板のような物、Ｃの働きで、水分を含んだタオルｄをｂにかけた時にｄと壁は接触しない。したがって、壁はカビや汚れを防げる。【選択図】図２
2006212369.tif 000002
【特許請求の範囲】
【請求項１】
ハンガーの柄の後方側に、プラスチック等で壁等をガードする物を設けたことを特徴とするタオルハンガー。
【発明の詳細な説明】
【発明の詳細な説明】
【０００１】《発明の属する技術分野》この発明は、水周り等で用いる、壁に付けるタイプのタオルハンガーの形状に関する。
【０００２】《従来の技術》従来のタオルハンガーの形状は、図１に示すように壁に付ける部分とタオルを掛ける部分で構成されたものである。
【０００３】《発明が解決しようとする課題》以上の従来の製品によれば、タオルハンガーにタオルを掛けるとタオルと壁が接触し、水分を含んだタオルをそのままにしておくとタオルと壁等、接触する部分の壁がカビたり汚れてしまう。そこで、この発明は、水分を含んだタオルと壁が接触してもカビたり汚れないことを提供するということを課題とする。
【０００４】《課題を解決するための手段》以上の課題を解決するために、請求項１の発明は、ハンガーの柄の後方側に、プラスチック製の板のようなもの設けたことを特徴とするタオルハンガーである。
【０００５】《発明の実施の形状》この発明の実施形態を、図２に示す。図１に示す従来の製品の形態のｂの後方側に、図２のＣを設ける。素材は、例えばプラスチック製の物で抗菌加工をしており、厚さは１ｍｍ程度のもの等を設けられている。
【０００６】《実施形態の効果》この実施形態によれば、抗菌加工してあるプラスチック製の板のような物、Ｃの働きで、水分を含んだタオルｄをｂにかけた時にｄと壁は接触しない。したがって、壁はカビや汚れを防げる。
【０００７】《他の実施形態》図２のｃの形態素材については、水を通さないものやカビが生えにくいものを用います。又、大きさや形に関しては、そのタオルハンガーの形状により変更する。
【０００８】《発明の効果》以上説明したように、この発明によれば、タオルハンガーのｃにカビ・汚れ防止のものを設けたことで、壁の傷みを防ぎ、清潔な壁を維持できる。
【０００９】既存のタオルハンガーにも利用出来る様ｃ部分のみの工夫をする。
【図面の簡単な説明】
【図１】従来の形態を示す正面図である。
【図２】この発明の実施形態を示す正面図である。
【符号の説明】
ａ：かけひも          ｂ：ハンガー柄  ｃ：（今回の発明品）カビ・汚れ防止        ｄ：タオル
【図１】
2006212369.tif 000003
【図２】
2006212369.tif 000004
(57)【要約】【課題】腰を直立の状態にして、腰の負担を軽減し、さらに大腿部や胸を圧迫しない椅子を提供する。【解決手段】必要十分な安定した脚部に支持された座面の、前部に開口部を設けた事を特徴とする椅子。【選択図】図１
2006212368.tif 000002
【特許請求の範囲】
【請求項１】
必要十分な安定した脚部に支持された座面の、前部に開口部を設けた事を、特徴とする椅子。
【発明の詳細な説明】
【技術分野】
【０００１】  本発明は、必要十分な安定した脚部に支持された座面の、前部に開口部を設けた椅子に関するものである。
【背景技術】
【０００２】  従来、椅子は脚部と座面が、ほぼ同じ奥行きを有し、腰と大腿部で座るものと、腰で座り、前方に膝当てがあるものがあった。
【発明の開示】
【発明が解決しようとする課題】
【０００３】  そのために、次のような問題点があった。  （イ）イスに深く座った状態では、腰の角度が４足歩行の状態に曲がり、腰の負担が大きく、かつ大腿部を圧迫し、血流を阻害する。さらに背筋が前かがみになり、胸の圧迫もある。さらに腰を直立の状態にするために、膝を曲げ、かかとを腰の下へ持ってくると、大腿部の圧迫を強める。  （ロ）膝当てのあるタイプの物は腰は直立した状態と同じであり腰の負担や、大腿部の圧迫は軽減されるが、膝の曲げ伸ばしができない。かつ立ったり、座ったりするときに、膝当てが障害になる。
【課題を解決するための手段】
【０００４】  （イ）必要十分な安定した脚部に支持された座面の前部に開口部を設け、座面に腰を掛け開口部に大腿部を収める様にして座る。
【発明の効果】
【０００５】  （イ）腰の下にかかとを持って来ることにより、腰の角度が直立した状態と同じになり腰の負担が少なく、かつ背筋が伸び胸の圧迫が無くなる。  （ロ）座面前部の開口部に大腿部が収まる事により、圧迫がなく、血流を阻害する事が、極めて少なくて済む。  （ハ）座面前部の開口部と左右の枠に大腿部が収まり、膝を揃えて座る人は楽である。  （ニ）腰の前方に膝当てがなく、膝の曲げ伸ばし、立ち座りが自由である。  （ホ）腰を直立した状態にして、背筋を伸ばして座る事により、足を組んたり、斜めに座ったりする事でおこる、骨盤のずれを防ぎ、腰痛の原因を軽減する事ができる。  （ヘ）一人分の座席位置の認識が容易であり、車両内の長椅子や、各種待合室等で、必要以上の、座席の占拠を軽減出来る。
【発明を実施するための最良の形態】
【０００６】  以下、本発明の実施の形態について説明する。  （イ）背面に背もたれ（５）を有する座面（２）の前部を開口部（３）とする。  （ロ）座面（２）は開口部（３）の両側に枠（４）を設ける。  （ハ）座面（２）及び枠（４）は下面に設けた脚部（１）で支持されている。  （ニ）座面（２）の傾斜角度は通常の水平だけでなく、作業用のやや前傾から、休息用の後傾まで、用途に応じて設ける事が出来る。  （ホ）座面（２）の両側と中央の高さは、通常の水平だけでなく、高低差を設けたり、一部に空間を設ける事が出来る。  （ヘ）本発明には、必要に応じて背もたれ（５）や、枠（４）を取り外したり、肘掛けや、キャスター等、通常の部品を、設ける事が出来る。  本発明は、以上のような構成でこれを使用する時は座面（２）に腰を掛け、開口部に大腿部を収め、座面下に、かかとを持ってくる事で、腰を直立の状態にして、背筋を伸ばした姿勢で、大腿部や胸を圧迫する事なく座る事が出来る。
【実施例１】  座面（２）のデザインは「図２」の様に中央に突出部（６）を設け、突出部（６）をまたぐ様にして座る物や、「図３」の様な背面方向に、腰当て用の座面（２）のみの物が有る。
【実施例２】  長イスにおいては、図４の様に複数の座面を設ける事が出来る。
【図面の簡単な説明】
【０００７】
【図１】本発明の斜視図
【図２】本発明の他の実施例を示す斜視図
【図３】本発明の他の実施例を示す斜視図
【図４】本発明の他の実施例を示す斜視図
【符号の説明】
【０００８】      １脚部      ２座面      ３開口部      ４枠      ５背もたれ      ６突出部
【図１】
2006212368.tif 000003
【図２】
2006212368.tif 000004
【図３】
2006212368.tif 000005
【図４】
2006212368.tif 000006
(57)【要約】      （修正有）【課題】  調理する調理品を酸化還元反応により活性化して、食する者の体質を還元して、活性化するだけでなく、調理する者は熱せられた調理器具より空気中に発せられた、陰イオンを気道より吸入して粘膜や毛細血管より陰イオンを吸収することで活性酸素を還元し生体の酸化が抑制され細胞の活性化を促進する。【解決手段】  調理課程の熱で、調理品を金属製調理器具外側にある、酸化還元反応を有する部材の電子交換作用で、調理品を還元し活性化した調理器具。【選択図】    図１
2006212361.tif 000002
【特許請求の範囲】
【請求項１】
調理課程の熱で、調理品を金属製調理器具外側にある、酸化還元反応を有する部材の電子交換作用で、調理品を還元し活性化することを特徴とする調理器具。
【請求項２】
前記調理器具は酸化還元反応を有する部材を金属製調理器具の本体外側、叉は、蓋外側の金属部分に固定していることを特徴とする請求項１の記載事項の調理器具
【請求項３】
請求項１の調理器具は酸化還元反応を有する部材を調理器具の金属部分にはさんだ多層構造であることを特徴とする調理器具
【発明の詳細な説明】
【技術分野】
【０００１】  本発明は、酸化還元反応を有する部材の電子交換作用で、調理品を還元し活性化させる調理器具に関するものである。
【背景技術】
【０００２】  従来の調理器具では使用する水や素材を、調理するだけで、調理品のｐＨを調整することはできなかった。酸性水なら酸性のまま、酸性食品は酸性のまま調理され、食する者の体質を酸性にするという問題がある。【０００３】  上記、第１の対策方法として、還元水生成器等で作った還元水を使用して調理する方法がある。叉、第２の対策方法として酸化還元反応で電子交換作用を有するセラミックボール等を使用し、調理水を還元していた。
【発明の開示】
【発明が解決しようとする課題】
【０００４】  上記、第１の対策方法では、還元水生成器を使用し、還元水生成器で処理した水を使用しなくてはならない。叉、還元水を使用しても調理する素材が酸性なら還元水と酸性素材で相殺してしまい効果的でなかった。第２の対策方法では酸化還元反応で電子交換作用を有するセラミックボール等を使用し、調理中にセラミックボール等が破損し、調理品に破片が混入することがある。叉、これらのセラミックボールを不使用時の保管状態によってはセラミックボールが不衛生な状態になり不衛生なセラミックボールを使用し調理するのは好ましいことではない。
【発明が解決するための手段】
【０００５】  酸化還元反応を有し電子交換する素材の中にゲルマニウムやトルマリンが知られているが、中でもゲルマニウムはその温度が３２℃以上になると電子的特性により、接触する金属や水を通し、マイナス電極に蓄えられた電子は、水に触れると瞬間的に放電され、水分子は水素イオン（Ｈ＋）と水酸イオン（ＯＨ−）に電気分解される。
そして水素イオン（Ｈ＋）はゲルマニウム電極に引き付けられ水素ガス（Ｈ２）となり、陰イオンを放出し、酸性のものを還元する。
【０００６】  トルマリンも叉、熱や水分により０．０６ｍＡの微弱電流を発生し、接触する金属や水を通しマイナス電極に蓄えられた電子は、水に触れると瞬間的に放電され、水分子は水素イオン（Ｈ＋）と水酸イオン（ＯＨ−）に電気分解される。
そして水素イオン（Ｈ＋）はトルマリン電極に引き付けられ水素ガス（Ｈ２）となり、陰イオンを放出し、酸性のものを還元する。
【０００７】  酸化還元反応を有し電子交換する素材のゲルマニウムやトルマリンは調理する熱に反応し、酸化還元反応による電子交換作用で自ずから金属製調理器具を通じ調理水等を還元するので、還元水生成器の処理した水を使用しなくても、水と調理する素材を活性化させる。叉、破損して破片が混入したり、衛生面において保管に神経を使うセラミックボール等使用しなくとも、酸性食品等を還元させ、食する者の体質を還元する。
【０００８】  請求項２の発明は金属製調理器具本体、外側取手部分等、叉は蓋取手部分等に酸化還元反応を有し電子交換するゲルマニウムやトルマリンを金属部分に固定し、調理する熱により、ゲルマニウムやトルマリンが酸化還元反応を発生し、調理器具の金属部分を伝わり、調理品や調理器具内の水の水素イオンを中和する。
【０００９】  叉、請求項３の発明は、調理器具本体の金属部分に酸化還元反応を有し電子交換するゲルマニウムやトルマリン等をはさんだ多層構造であり、調理する熱により、ゲルマニウムやトルマリン等が酸化還元反応を発生し、調理器具の金属部分を伝わり、調理品や調理器具内の水の水素イオンを中和する。
【発明の効果】
【００１０】  本発明により、従来の調理器具では調理品の素材や水を  酸性水なら酸性水のまま、酸性食品は酸性食品のまま調理された。叉、その対策として還元水生成器等で作った還元水を使用する煩わしさがなくなる。そして、調理する調理品を酸化還元反応により活性化して、食する者の体質を還元して、活性化するだけでなく、調理する者は熱せられた調理器具より空気中に発せられた、陰イオンを気道より吸入して粘膜や毛細血管より陰イオンを吸収することで活性酸素を還元し生体の酸化が抑制され細胞の活性化が促進される。
【発明を実施するための最良の形態】
【００１１】  この発明の活性化形態を図１に示す。
調理器具にあるる水分子は水素イオン（Ｈ＋）と水酸化物イオン（ＯＨ−）である。
酸化還元反応を有する部材、ゲルマニウムやトルマリン等が調理熱より、陰イオンを放出し、調理器具はマイナス（−）に帯電する。
調理器具の中の陽イオン（Ｈ＋）は、マイナスに帯電した調理器具と反応して水素ガス（Ｈ）となり放出、活性化される。【００１２】一実施形態を、図２に示す。酸化還元反応を有する部材を金属製調理器具の本体外側、蓋外側の金属部分に固定しているが、どちらか一方でも良い。【００１３】図３に示す実施形態は、酸化還元反応を有する部材を金属製調理器具の本体や蓋に積層しているが、本体、蓋のどちらでも良い。叉、全体でなく、一部分の積層でも良い。
【産業上利用可能性】
【００１４】本発明に係わる調理器具は、工業的に量産することが可能であるため、産業上の利用可能性を有するため有意義である。
【図面の簡単な説明】
【００１５】
【図１】酸化還元反応を有する部材、ゲルマニウムやトルマリン等が調理熱により電子交換し調理品を還元し活性化する行程を図示したものである。
【図２】酸化還元反応を有する部材、ゲルマニウムやトルマリン等を金属製調理器具の本体外側、蓋外側の金属部分に固定している断面図である。
【図３】酸化還元反応を有する部材、ゲルマニウムやトルマリン等を調理器具の金属部分にはさんだ多層構造の断面図である。
【符号の説明】
【００１４】１        酸化還元作用を有する部材
２        調理器具本体金属部分
３        調理器具蓋金属部分
４        取手
５        火炎
Ｈ        水素
Ｈ＋      水素イオン
ＯＨ−    水酸化物イオン
2006212361.tif 000003
２Ｈ２Ｏ  水
【図１】
2006212361.tif 000004
【図２】
2006212361.tif 000005
【図３】
2006212361.tif 000006
(57)【要約】      （修正有）【課題】洗濯バサミを容易に収納し、取り出すことが出来る、洗濯バサミ収納容器を提供する。【解決手段】薄型縦長方形からなる洗濯バサミ収納容器（１）の上部に洗濯バサミ（１０）の収納口（２）を設ける。容器（１）の上端前後の両面に紐通し穴（３）を開け、紐と金具（４）で物干し棹（１１）に吊せるようにして、容器（１）の上部両側面に逆流止め突起（５）を設ける。取り出し口（８）は収納口（２）より幅を狭くして落下防止壁（９）を形成し、洗濯バサミ（１０）を取り出し口（８）から半分露出させて、取り出しを容易にする。容器（１）の上部前面に連結用の差し込み部（６）を設け、収納容器（１）が二個、三個と連結出来るようにする。洗濯バサミ（１０）を収納するときは洗濯バサミ（１０）の挟む部分が下になるようにして収納口（２）から順次収納する。【選択図】図１
2006212365.tif 000002
【特許請求の範囲】
【請求項１】
薄型の縦長方形からなる洗濯バサミ収納容器の上部に洗濯バサミを収納する収納口を設け、下部に取り出し口を設ける。収納口に洗濯バサミの逆流止め突起を設け、連結用差し込み部により容器を連結出来る特徴を持ち、物干し棹に吊して使用する洗濯バサミ収納容器。
【発明の詳細な説明】
【技術分野】
【０００１】本発明は、洗濯バサミを容易に収納し、取り出し口から容易に取り出して、紐と金具で物干し棹に吊して使用する洗濯バサミ収納容器に関するものである。
【背景技術】
【０００２】従来、洗濯バサミは空き箱、空き缶、カゴ等に収納し、その都度取り出して使用しているのが現状である。
【発明の開示】
【発明が解決しょうとする課題】
【０００３】家庭において洗濯物を干すときに使用する洗濯バサミは、空き箱、空き缶、カゴ等に保管して使用しているが、これを洗濯バサミ収納容器に容易に収納し、紐と金具で物干し棹に吊して、取り出し口から洗濯バサミを容易に取り出して使用出来るようにし、洗濯バサミの使用を容易にして保管場所を解決しようとするものである。
【課題を解決するための手段】
【０００４】薄型縦長方形の箱体からなる容器、洗濯バサミ収納容器の上部に洗濯バサミの収納口を設ける。容器、上端前後の両面に紐通し穴を開けて紐と金具で物干し棹に吊せるようにして、容器、上部両側面に逆流止めの突起を設ける。容器、下部に洗濯バサミの取り出し口を設けて一個づつ容易に取り出せるようにする。取り出し口は収納口より狭くして洗濯バサミの落下防止壁を形成し、。洗濯バサミの取り出しを容易にするため取り出し口から洗濯バサミを半分露出させる。容器、上部前面に連結用の差し込み部を設け、裏面に差し込み穴を設けて洗濯バサミ収納容器が二個、三個と連結用出来るようにする。容器を使用するときは紐と金具で物干し棹に吊して洗濯バサミを取り出し口から一個づつ取り出し使用する。洗濯バサミを収納するときは洗濯バサミの挟む部分が下になるようにして収納口から順次収納する。
【発明の効果】
【０００５】本発明は、薄型縦長方形の箱体であるので、洗濯バサミ収納容器を紐と金具で物干し棹に吊して洗濯バサミの保管が出来、使用するときは洗濯バサミを容易に取り出せ、使用する洗濯バサミの数量に応じて、容器の連結用差し込み部、差し込み穴で洗濯バサミ収納容器を二個、三個と連結出来るようにしたものである。
【発明を実施するための最良の形態】
【０００６】以下、本発明の実施の形態を説明する。
（イ）薄型縦長方形からなる洗濯バサミ収納容器（１）の上部に洗濯バサミの収納口（２）を設ける。
（ロ）容器（１）の上部前後両面に紐通し穴（３）を開け、紐と金具（４）で物干し棹（１１）に吊せるようにする。
（ハ）容器（１）の上部両側面に逆流止め突起（５）を設ける。
（ニ）容器（１）の上部前面に容器（１）を連結する差し込み部（６）を設け、裏面に差し込み穴（７）を設ける。
（ホ）容器（１）の下部に洗濯バサミ（１０）の取り出し口（８）を設け、取り出し口（８）は洗濯バサミ（１０）の落下を防止する落下防止壁（９）を形成する。洗濯バサミ（１０）が取り出し口（８）から半分露出するようにして取り出しを容易にする。
本発明は、以上の構成によりなっている。
本発明を使用するときは、洗濯バサミ収納容器（１）を紐と金具（４）で物干し棹（１１）に吊し、洗濯バサミ（１０）を収納するときは収納口（２）から洗濯バサミ（１０）の挟む部分を下にして収納し、取り出し口（８）から洗濯バサミ（１０）を一個づつ取り出して使用する。使用する洗濯バサミ（１０）の数量に応じて、洗濯バサミ収納容器（１）を二個以上使用するときは、容器（１）の差し込み部（６）を別の容器（１）の差し込み穴（７）に差し込み、図５に示すように容器（１）を二個、三個と連結して使用する。
【図面の簡単な説明】
【０００７】
【図１】本発明の斜視図
【図２】本発明の正面断面図
【図３】本発明の裏面断面図
【図４】本発明の横断面図
【図５】本発明を複数連結した状態を示す側面図
【図６】本発明の使用図
【符号の説明】
【０００８】１    洗濯バサミ収納容器
２    収納口
３    紐通し穴
４    紐と金具
５    逆流止め突起
６    差し込み部
７    差し込み穴
８    取り出し口
９    落下防止壁
１０  洗濯バサミ
１１  物干し棹
【図１】
2006212365.tif 000003
【図２】
2006212365.tif 000004
【図３】
2006212365.tif 000005
【図４】
2006212365.tif 000006
【図５】
2006212365.tif 000007
【図６】
2006212365.tif 000008
(57)【要約】【課題】どんな場所でもスペースを効率よく使え、且つノートパソコン型、デスクトップ型の両方のニーズに答えるべく多機能なパソコン台を世に広め、重さに耐えられる強い素材や、色々なシーンに合うカラーバリエーションを考案し使って頂ける皆様の思いに添えるような形にしていきたい。【解決手段】従来のパソコン専用台には無いカラーバリエーションを考案し天板２と土台６の間の回転盤４や伸縮式クリップ、内蔵鏡３、主にキーボードを乗せることを目的としたスライド収納箱付台８又、スライド式ネジピン１０を脱着し切断界境線９より大きさを自由に変えれることによりこれを解決する。【選択図】  図１
2006212366.tif 000002
【特許請求の範囲】
【請求項１】
パソコンの大きさや形態を選ばずに、どこにでも置け、無数の穴を塞ぐスライド式ネジピンを用いたことによって、自由に分解出来る台であり、画面を置く台が、３６０度回転することにより、扱う人達の姿勢や向きにも自由が利く、また、土台下スペースに、小箱付キーボードスライド収納台を設け、扱う場所をすっきりと綺麗に納め、原則的にパソコン全般の機器を置く硬い材質を特徴とした、鏡内蔵天板回転式キーボードスライド収納型小箱付台である。
【請求項２】
前記、台は前方部分に鏡を内蔵し、好きな時に出し入れが出来、又、側面には取り外し可能な、向き自由自在の伸縮式クリップを設け、紙や、書類などを挟めるようにし尚且つ、様々な場所や、インテリアにマッチするよう、台のカラーの種類も豊富な特徴を併せ持つ鏡内蔵天板回転式キーボードスライド収納型小箱付台である。
【発明の詳細な説明】
【技術分野】
【０００１】本発明は、従来あるパソコン専用台は、専用台でしかなく、現在、会社や学校、自宅などのテーブルで収納に困るキーボードをパソコンの大きさに関係なくコンパクトにスライド収納でき、大きさも組立て式にて、自由に変えられ、尚且つ場所を選ばず使える鏡内蔵天板回転式キーボードスライド収納型小箱付台である。
【背景技術】
【０００２】従来は、パソコンの大きさに合わせた天板回転式キーボード収納台は特別には無く、机の上にはいつもキーボードの置き場にも困っていた。
【発明の開示】
【発明が解決しようとする課題】
【０００３】現在のパソコン収納台には自分の用途にあった大きさはなかなか無く、一度購入してしまえばその後のパソコンの位置が限定され、尚且つ、天板が回転しないうえ、文章を見ながらパソコンを打ち込む際に、書類を挟むクリップも独立して用意する必要があり他の作業と併用する時に非常に効率が悪い。またキーボードや、文房具などの、収納スペースも無いのでパソコンの近くにそのスペースも特別に設けなければならなかった。さらに、女性は特に、咄嗟的に自分の容姿を確認したい時の為だけにも、鏡を近くに置く必要があった。本発明は、この多くの課題を解消する為になされたものである。
【課題を解決するための手段】
【０００４】天板、下の土台の天板との間に回転盤を設け、３６０度回転し、両方の天板はスライド式ネジピンを使用することによって自由に分割出来、天板側面に伸縮式の書類を挟むクリップを設け、土台や天板を目的に合わせた大きさや向きに出来るようにした。次に土台天板下に、スライド型収納小箱付台を設け、キーボードや文房具をすっきりと収納出来るようにした。さらに、天板内部に、鏡を内蔵することによって、好きな時に出し入れでき、自分の容姿を確認出来るようにした。
【発明の効果】
【０００５】狭い部屋でも場所を選ばず、天板、土台と二段にし、その間に回転盤を設ける。２つの天板はそれぞれ分解出来、自由に切断しそれをスライド式ネジピンで固定しておくことによって、好きな時にピンを外し大きさを調整出来るようにした。しかも、土台天板下にスライド型収納小箱付台を付属させキーボードや小物が収納でき使用後もテーブルの周りなどがすっきとかたずく。
【発明を実施するための最良の形態】
【０００６】以下、本発明の実施の形態を図面に基づき詳細に説明する。
【図面の簡単な説明】
【０００７】
【図１】鏡内蔵天板回転式キーボードスライド収納型小箱付台の正面図
【図２】鏡内蔵天板回転式キーボードスライド収納型小箱付台の側面図
【図３】鏡内蔵天板回転式キーボードスライド収納型小箱付台の平面図
【図４】鏡内蔵天板回転式キーボードスライド収納型小箱付台の背面図
【図５】使用状態の参考図
【符号の説明】
【０００８】１パソコン台本体
２天板
３内蔵鏡
４回転盤
５伸縮式クリップ
６土台
７スライド台
８スライド収納箱付台
９切断境界線
１０スライド式ネジピン
１１スライドレーン
１２スライドレーン固定柱
【図１】
2006212366.tif 000003
【図２】
2006212366.tif 000004
【図３】
2006212366.tif 000005
【図４】
2006212366.tif 000006
【図５】
2006212366.tif 000007
(57)【要約】      （修正有）【課題】打撃面が空気抵抗を受けにくく、打球のスピードが出る卓球ラケットを提供する。【解決手段】打撃面２に通気孔を設ける。通気孔は例えば、複数設けられた丸形状の通気孔３である。【選択図】図１
2006212376.tif 000002
【特許請求の範囲】
【請求項１】
打撃面に、通気孔を設けたことを特徴とする卓球ラケット。
【請求項２】
前記通気孔は、複数設けられた丸、三角、四角、台形、ハート状などの異形状およびこれらの組み合わせであることを特徴とする請求項１記載の卓球ラケット。
【発明の詳細な説明】
【技術分野】
【０００１】  この発明は、卓球ラケットの打撃面の形状に関する。
【背景技術】
【０００２】  従来の卓球ラケットの打撃面の形状は、図２に示すように、表裏面がフラットである。
【発明の開示】
【発明が解決しようとする課題】
【０００３】しかしながら、以上の技術によれば、打撃面が空気抵抗を受けやすく、打球のスピードが出にくかった。  そこで、この発明は、打撃面が空気抵抗を受けにくく、打球のスピードが出る卓球ラケットを提供することを課題とする。
【課題を解決するための手段】
【０００４】  以上の課題を解決するために、第一発明は、従来にない打撃面に通気孔を設けたことを特徴とする卓球ラケットである。
また、第二発明は、打撃面にラケットの各種材質に最適なサイズ（１２５６ｍｍ２（ボール径（４０ｍｍ）から算出）以下／孔）の通気孔を規則又は不規則性のある配置で設け、この通気孔は打撃面に対して垂直または角度を有し、複数設けられた丸、三角、四角、台形、ハート状などの異形状およびこれらの組み合わせであることを特徴とする卓球ラケットである。
【発明の効果】
【０００５】  第一発明、または第二発明によれば、卓球ラケットの打撃面に複数の異形状の通気孔を設けたので、打撃面の通気性が良くなる。その結果、空気抵抗が減少し、制球が容易になると同時に腕の振りが速くなり打球にスピードが出る。また、通気孔は卓球ラケットの打撃面のサイズ、質量などの調整をしやすくし、ラケット製作が容易になる。更には、ラケットの軽量化にも寄与し、肘痛などの予防効果やこの各種通気孔形状の卓球ラケットのマイラケット保持者が急増し卓球界が活性化することが期待される。
【発明を実施するための最良の形態】
【０００６】  この発明の一実施形態を、図１に示す。
卓球ラケットの本体▲１▼は木質・ケプラー・カーボン・グラスフアイバーなどの合板で丸型、角丸型、楕円型などの形状があり、この両面▲２▼にラバーシートおよびスポンジなどのゴム製を張り合わせて一体化させたものである。この両面▲２▼には丸形状の通気孔▲３▼が多数設けられている。【０００７】「実施形態の効果」
この実施形態によれば、丸形状の通気孔▲３▼の働きで、打撃面の通気性が良くなる。その結果、空気抵抗が減少し、制球が容易になると同時に打球にスピードが出る。また、通気孔は卓球ラケットの打撃面のサイズ、質量などの調整をしやすくし、ラケット製作が容易になる。更にはラケットの軽量化にも寄与し、肘痛などの予防効果やこの各種通気孔形状の卓球ラケットのマイラケット保持者が急増し卓球界が活性化することが期待される。【０００８】「他の実施形態亅
図１の実施形態では、通気孔は数の丸形状の通気孔▲３▼であったが、他の実施形態では、通気孔は三角、四角、台形、ハート状などの異形状通気孔を複数設けたものでも良い。
【図面の簡単な説明】
【０００９】
【図１】この発明の一実施形態を示す斜視図である。
【図２】従来技術を示す斜視図である。
【符号の説明】
【００１０】▲１▼  卓球ラケット本体▲２▼  打撃面（ラバーシート＋合板など）▲３▼  通気孔
【図１】
2006212376.tif 000003
【図２】
2006212376.tif 000004
(57)【要約】【課題】財布の中に入れたキャッシュカードのデータをスキミングされないように、財布の一部にアルミを除く金属の材質を設けたスキミング防止機能つき財布を提供する。【解決手段】財布本体（１）の外側部分に、アルミを除く金属の材質（３）を設けたことを特徴とする財布。【選択図】      図２
2006212380.tif 000002
【特許請求の範囲】
【請求項１】
財布の一部に非接触型スキミングを防止するための、アルミを除く金属の材質を設けた財布
【発明の詳細な説明】
【発明の詳細な説明】
【技術分野】
【０００１】この発明は、財布の中に入れたキャッシュカードの前面及び後面部分をアルミを除く金属の材質で覆うようにして、非接触型のスキミングを防止するようにした財布に関するものである。
【背景技術】
【０００２】従来、非接触型スキミングを防止した財布というものはなかった。
【発明が解決しようとする課題】
【０００３】従来の財布というのは、非接触によるスキミングの技術が進んでいなかったので別段、スキミングの事まで考える必要がなかった。したがってその防止機能までつける必要はなかった。
しかしながら、技術が進み、いまや非接触のスキミングまで可能となった。したがって従来の財布の中に入れたキャッシュカードは、手のひらに入るデータを読み取る器具と、それに接続されたコンピュータがあれば、キャッシュカードに接触することなく被服あるいは鞄の外側から容易にそのデータが盗まれてしまう欠点が生じてきた。
本発明は、以上のような欠点を失くすためになされたものである。
【課題を解決するための手段】
【０００４】財布の一部に非接触型のスキミングを防止するアルミを除く材質の金属を設ける。本発明は、以上の構成よりなるスキミング防止機能つき財布である。
【発明を実施するための最良の形態】
【０００５】以下、本発明の実施の形態について説明する。
二つ折りの財布の場合は、財布の外側の真ん中の折れる部分を除いた面にアルミを除いた金属のシート又は布等にスパッタリング等により金属を蒸着したものを設ける。長財布の場合は、キャッシュカードを挿入するポケットの前面と後面を該当材質のもので構成する。
【発明の効果】
【０００６】二つ折れの財布の場合は、通常折った状態で被服のポケットあるいは鞄等に収納する。したがって、当該財布にキャッシュカードを入れた状態においては、キャッシュカードは、その前面及び後面が、非接触型のスキミングを防ぐアルミを除く金属の材質のもので挟まれる。よって、スキミングをされることがない。
なお、アルミを除く金属としたのは、アルミは他の金属に比べスキミングを防ぐ効果が劣るからである。
【図面の簡単な説明】
【図１】  本発明の財布の内側部分の斜視図である。
【図２】  本発明の財布の外側部分の斜視図である。
【符号の説明】
１  財布本体
２  キャッシュカード挿入ポケット
３  アルミを除く金属の材質
【図１】
2006212380.tif 000003
【図２】
2006212380.tif 000004